【手続補正書】
【提出日】平成22年12月3日(2010.12.3)
【手続補正１】
【補正対象書類名】特許請求の範囲
【補正対象項目名】請求項４
【補正方法】変更
【補正の内容】
【請求項４】
請求項１ないし請求項３のいずれかに記載の吸収体において、
前記上側シート体はエアースルー不織布からなることを特徴とする吸収体。
【手続補正２】
【補正対象書類名】明細書
【補正対象項目名】０００８
【補正方法】変更
【補正の内容】
【０００８】
また、請求項４の発明では、請求項１ないし請求項３のいずれかの発明に係る吸収体において、前記上側シート体はエアースルー不織布からなる。
【手続補正３】
【補正対象書類名】明細書
【補正対象項目名】００２０
【補正方法】変更
【補正の内容】
【００２０】
請求項５に記載の発明によれば、ホットメルト接着剤層によって集合体と上側シート体又は下側シート体との接合強度が高められ、仮に縒れが生じても集合体と上側シート体又は下側シート体とが外れて型くずれが生じるのをより確実に防止できる。
【手続補正４】
【補正対象書類名】明細書
【補正対象項目名】００２７
【補正方法】変更
【補正の内容】
【００２７】
［第１実施形態］
図１は本発明の第１実施形態に係る吸収体が用いられた使い捨て吸収性物品（以下、単に「吸収性物品」という）を、左右のサイド接合部を切離して略平面状に展開したときの平面図であり、図２は図１の吸収性物品の展開される前の状態を示す斜視図であり、図３は図１のＡ１−Ａ１線に沿った断面構造を模式的に示す図であり、図４は図１の吸収性物品に備えられる吸収体の平面図である。なお、図１ないし図４及び後述する他の図において、縦方向Ｙは着用者の前後又は上下方向に対応しており、横方向Ｘは着用者の左右方向に対応している。
【手続補正５】
【補正対象書類名】明細書
【補正対象項目名】００４２
【補正方法】変更
【補正の内容】
【００４２】
次に、吸収体３の構成について説明する。吸収体３は、集合された繊維を少なくとも有する集合体３１と、その集合体３１を覆うシート体３２とを備えている。シート体３２は、本発明に係る上側シート体に相当している。なお、本実施形態では、吸収体３がその上面が肌面側に向くように配置されているが、反対に、その上面が外面側を向くように吸収体３が配置されてもよい。この点については、後述する図９ないし図１２に示す吸収体４１，５１，７１についても同様である。
【手続補正６】
【補正対象書類名】明細書
【補正対象項目名】００５０
【補正方法】変更
【補正の内容】
【００５０】
また、集合体３１の下面３１ｃ側には、ホットメルト接着剤層３８が形成される。このホットメルト接着剤層３８の構成について、略砂時計型の平面形状を有する集合体３１について具体的に説明する。すなわち、ホットメルト接着剤層３８は、図６（ａ）に示すように、集合体３１の横方向Ｘ及び縦方向Ｙの少なくとも中央部（図６（ａ）のハッチングを付与した部分）に設けられている。より望ましい構成として、図６（ｂ）に示すように、集合体３１の下面３１ｃにおいて、くびれ部３３が設けられた集合体３１の横方向Ｘの幅よりもやや狭い幅で、縦方向Ｙに連続して集合体３１の実質的に全長に渡ってホットメルト接着剤層３８が設けられるのがよい。なお、長方形の平面形状を有する集合体３１については、集合体３１の下面３１ｃの実質的に全面にホットメルト接着剤層３８を形成してもよい。
【手続補正７】
【補正対象書類名】明細書
【補正対象項目名】００５２
【補正方法】変更
【補正の内容】
【００５２】
このようなホットメルト接着剤層３８によって次のような効果が得られる。すなわち、集合体３１とシート体３２との接合強度が高められ、仮に縒れが生じても集合体３１とシート体３２とが外れて型くずれが生じるのをより確実に防止できる。
【手続補正８】
【補正対象書類名】明細書
【補正対象項目名】００５９
【補正方法】変更
【補正の内容】
【００５９】
図７は上述の図５に示す吸収体３の構成の変形例を示す図であり、図８は図７のＡ２−Ａ２線に沿った断面構造を模式的に示す図である。上述の図４及び図５に示す構成では、シート体３２の前後（縦方向Ｙ）の端部３２ｂが集合体３１の前後の端部３１ｄとほぼ揃えられ、シート体３２の前後の端部３２ｂが開放されていたが、この点については図７及び図８に示す構成を採用してもよい。すなわち、図７及び図８に示す構成では、シート体３２の前後の端部３２ｂ（図７及び図８参照）が集合体３１の前後の端部３１ｄよりも前後に張り出しており、シート体３２の集合体３１の上面３１ａ側及び下面３１ｃ側に位置する部分が互いに接着されて閉じられている。これによって、シート体３２の前後の端部３２ｂに、集合体３１が存在しないフラップ部３９が形成されている。これによって、集合体３１を構成する繊維等をシート体３２内に閉じこめることができる。
【手続補正９】
【補正対象書類名】明細書
【補正対象項目名】００６４
【補正方法】変更
【補正の内容】
【００６４】
以上のような構成により、本実施形態においても、上述の第１実施形態とほぼ同様な効果が得られる。特に、本実施形態では、上側シート体３２及び下側シート体４２の素材を個別に選択することができ、これによって、強度（破れにくさ等）及び吸収性能等の点でより性能の優れた吸収体３及び吸収性物品１を提供できる。
【手続補正１０】
【補正対象書類名】明細書
【補正対象項目名】００６７
【補正方法】変更
【補正の内容】
【００６７】
第２集合体５２は、上述の上側シート体３２と同様な材質のシート体５３によって覆われている。シート体５３は、下面側から第２集合体５２を包み込むようにして装着されており、第２集合体５２の下面５２ａ及び左右の側縁５２ｂを覆うとともに、シート体５３の左右両側の部分５３ａが、第２集合体５２の上面５２ｃ側に巻き込まれている。また、シート体５３の左右両側の部分５３ａは、互いに重ね合わされることなく横方向Ｘに離間された状態で第２集合体５２の上面５２ｃに接着されている。このため、吸収体５１の横方向Ｘの中央部において、第１集合体３１と第２集合体５２との間にはシート体３２，５３は存在せず、シート体４２のみが存在している。これによって、第１集合体３１側から溢れた尿等の体液が第２集合体５２側に速やかに透過する。
【手続補正１１】
【補正対象書類名】明細書
【補正対象項目名】００７１
【補正方法】変更
【補正の内容】
【００７１】
また本実施形態では、第２集合体５２の横方向Ｘの幅が第１集合体３１の横方向Ｙの幅より大きく設定されている。そして、第２集合体５２の平面形状が、縦方向Ｙの中間部（着用者の股下に対応する部分）にくびれ部６１が形成された砂時計型とされている。このため、第２集合体５２のくびれ部６１に対応するシート体５３の部分には、第２集合体５２が存在しない股フラップ部６２が形成されている。さらに、図１１に示す構成では、シート体５３の股フラップ部６２の一部がくびれ状に切除されることによりトリム部６３が形成されている。
【手続補正１２】
【補正対象書類名】明細書
【補正対象項目名】００７３
【補正方法】変更
【補正の内容】
【００７３】
図１２は本実施形態に係る吸収体の変形例を示す断面図である。この変形例に係る吸収体７１では、図１２に示すように、第１集合体３１の横方向Ｘの幅が第２集合体５２の横方向Ｘの幅よりも大きく設定されている。他の変形例としは、第１集合体３１の横方向Ｘの幅と第２集合体５２の横方向Ｘの幅とを略同一に設定してもよい。
【手続補正１３】
【補正対象書類名】図面
【補正対象項目名】図１
【補正方法】変更
【補正の内容】
【図１】
2009160242.tif 000001
【手続補正１４】
【補正対象書類名】図面
【補正対象項目名】図８
【補正方法】変更
【補正の内容】
【図８】
2009160242.tif 000002